(57)【要約】      （修正有）【課題】階段の各段を構成する各階段用部材を各々作成して組み合わせ固定するようにして、直線状に昇り降りする階段や螺旋階段等を簡単に製造し得る組立て式階段を提供する。【解決手段】各段を構成する各階段用部材１０、２０を長方形状の段板あるいは長方形の長い辺の一方が傾斜したつまり短い辺の長さの異なる形状の段板と、この段板を左右の端部にて支持する横方向支持部１１ａ，１２ａ，２１ａ，２２ａと縦方向支持部１１ｂ，１２ｂ，２１ｂ，２２ｂとよりなるＬ字状支持部材１１，１２，２１，２２にて形成する。さらに、この各階段用部材１０、２０をそのＬ字状支持部１１，１２，２１，２２を重ね固定し順次重ね合わせて階段を形成する。【選択図】図４
0003165176.tif 000002
【実用新案登録請求の範囲】
【請求項１】
段板と、前記段板を支持する左右の段板支持部材とよりなり、前記段板が長方形状又は長方形の横方向の辺の少なくとも一方が傾斜した形状の面形状で、前記左右の段板支持部材がいずれも縦方向支持部（垂直方向支持部）と横方向支持部（水平方向支持部）とよりなるＬ字状をなし、前記縦方向支持部が左右の両段板支持部材が等しい所望の長さであり、前記横方向支持部が左側段板支持部材が前記段板の左の端面の長さに応じた適切な長さであり、一方右側段板支持部材が前記段板の右側の端面の長さに応じた適切な長さに設置された構成の階段用部材を有し、前記階段用部材の一つにＬ字状段板支持部材の縦方向支持部の上側端面に他の階段用部材のＬ字状段板支持部材の横方向段板支持部の先端部分を固定して重ね、この方法にて順次多数の階段用部材を積み重ねて固定することにより形成された組み立て式階段で、前記積み重ねる階段部材の段板の形状を順次変化させることにより、各種の螺旋階段を作成し得るようにした組み立て式階段。
【請求項２】
前記各階段用部材が、左右の段板支持部材に保持された段板の両形状と同じ面形状の段板受けを有し、前記階段が前記段板受けに配置し保持されるようにした請求項１の組み立て式階段。
【請求項３】
前記左右のＬ字状段板支持部材の横方向支持部に脚部を設け、前記脚部の下端面にねじ孔を有するプレートを備えた階段用部材を最下段に用いた請求項１または請求項２の組み立て式階段。
【考案の詳細な説明】
【技術分野】
【０００１】
本考案は、螺旋状階段等の高さにより進む方向の変化する階段の製造に適した組み立て式階段に関するものである。
【背景技術】
【０００２】
従来の螺旋階段は、構造が複雑であり、特に落下等を防ぐために階段に壁面を設けたり、手摺を取り付けた構造にする場合、一層複雑な構造になり、高価なものとなる。
【０００３】
そのため、その殆どが階段を上る際の方向が同一で、一定の回転角にて昇る螺旋階段であり、途中で昇る方向を変化させたり、昇る際の回転角が変化する階段は殆ど存在しない。また存在しても、製造が面倒で極めて高価なものとなる。
【考案の開示】
【考案が解決しようとする課題】
【０００４】
本考案は、昇る方向が途中で変化する階段等の各種の階段を容易に製造し得る組み立て式階段を提供するものである。
【課題を解決するための手段】
【０００５】
本考案の組み立て式階段は、階段を構成する各階段用部材を順次積み重ねることにより階段を構成するようにしたもので、各階段用部材が長方形状又は、長方形の横方向の辺の一つあるいは両方を傾斜させた面形状の段板と、この段板の左右端面を支持する夫々Ｌ字状の左右の段板支持部材とよりなり、左右の段板支持部材が等しい長さの垂直方向に伸びる縦方向支持部を、夫々段板の左右の端面の長さに応じた適宜の長さの水平方向に伸び横方向支持部とよりなるＬ字状をしたもので、このような構成の階段用部材を多数順次重ねたもので、一つの階段用部材のＬ字状の段板支持部材の縦方向支持部の上側端面に他の階段用部材の端面支持部材の横方向支持部の先端部分を重ねて固定し、この手段による上下階段部材を重ね固定することを繰り返すことにより階段を形成するものである。
【０００６】
このようにして形成される本考案の組み立て式階段において、すべての階段用部材がその段板面形状の等しい長方形状の場合、直線上に昇り降りする階段となる。
【０００７】
又、各階段用部材が、その段板の面形状が横方向の辺が傾斜する形状であって、しかも同じ形状（傾斜角度の等しい形状）の場合は、その傾斜方向により左回りまたは右回りの昇る螺旋階段になる。ここで、傾斜方向の角度により旋回方向（昇り降りの際の回転角度）の緩い螺旋階段や強い旋回方向の螺旋階段となる。
【０００８】
又、段板の傾斜角度を順次変化させることにより、旋回する角度の変化する階段となる。
【０００９】
又、傾斜角度の変化および傾斜方向の変化を組み合わせることにより、例えば右回りから左回りに変わる螺旋階段となる。
【００１０】
又、段板の形状を長方形と傾斜した形状との組み合わせにより、直線状に昇り途中から螺旋状に昇る階段を形成し得る。
【考案の効果】
【００１１】
本考案の組み立て式階段によれば、階段を構成する各階段用部材の段板の形状の選択または段板の形状を異なったものとすることにより、直線状に昇り降りする階段や旋回方向等の異なる螺旋状階段等の各種の階段を簡単に製造し得るといる効果を有する。
【００１２】
又、本考案の組み立て式階段は、各階段用部材のＬ字状の支持部材の横方向の支持部に手摺等を接合固定することにより、簡単に取り付けることができる。しかも螺旋階段の場合も手摺の取り付けは可能であり、しかも簡単に取り付け得る。
【図面の簡単な説明】
【００１３】
【図１】本考案の組み立て式階段にて用いる階段用部材の実施例１の斜視図
【図２】前記実施例１で用いるＬ字状支持部材を拡大して示した斜視図
【図３】前記実施例１にて用いる階段受けを拡大して示した側面図
【図４】前記実施例１の階段用部材を二つ重ねた状態を示す斜視図
【図５】前記実施例１の階段用部材を多数重ねた状態を上方より見た概略図
【図６】前記実施例１の階段用部材の最下段に用いる際の変形例
【図７】本考案で用いる階段用部材の実施例２の斜視図
【図８】前記実施例２の階段用部材を多数段重ねた状態を上方より見た概略図
【図９】本考案で用いる階段用部材の実施例３の斜視図
【図１０】前記実施例３の階段用部材を多数段重ねた状態を上方より見た概略図
【図１１】前記実施例１と実施例２の階段用部材を重ね合わせた状態を上方より見た概略図
【図１２】前記実施例２の階段用部材を最下段に用いる際の変形例
【図１３】前記実施例３の階段用部材を最下段に用いる際の変形例
【考案を実施するための最良の形態】
【００１４】
本考案の実施の形態を図示する実施例をもとに説明する。
【実施例１】
【００１５】
本考案の実施例１は、直線状に昇り降りするために用いる組み立て式階段の実施例である。
【００１６】
図１乃至図４は、本考案の実施例１を示す図で階段を構成する階段用部材の一例を示すもので段板の面形状が長方形の例である。
【００１７】
尚、図１は階段用部材全体を示す、図２、図３は夫々図１に示す階段用部材を構成するＬ字状段板支持部材の斜視図および段板受けの側面図である。
【００１８】
この図１に示す実施例１の階段用部材は、図２に示すような角パイプにて形成された下面まで貫通するねじ孔を有する横方向支持部と縦方向支持部よりなるＬ字状をなす同一の形状、大きさの左右の段板支持部材１１、１２と、これら段板支持部材１１、１２の横方向支持部１１ａ、１２ａに熔接等の手段にて接合、固定した側面形状が図３に示すような段板受け１３とよりなり、段板受け１３内に一定の厚さの長方形状の段板１５を挿入保持するものである。
【００１９】
この図１に示す階段用部材１０の上に同様の形状の階段用部材を順次積み重ねて固定していくことにより、直線状に昇り降りする階段を製造することができる。即ち、図１に示す階段用部材を多数用いて、次のように順次重ねていく。まず図１に示す階段用部材１０の縦方向の支持部１１ｂ、１２ｂの上側端面上に、図１に示す階段用部材と同一形状の他の階段用部材２０をその段板支持部材２１、２２の横方向支持部２１ａ、２２ａを載せてねじ孔１１ｅ、１２ｅと下面まで貫通するねじ孔２１ｃ、２２ｃを利用して、ボルトにて締め付け固定する等の手段により一体化する。
【００２０】
同様の方法により上側の階段用部材２０の上に更に階段用部材１０と同一形状の他の階段用部材を順次重ねて固定していく。
【００２１】
これにより、図５に示すように、直線状の階段を製作し得る。即ち、図４に示すように下部の階段用部材１０の上に上部の階段用部材２０を重ね、下部の階段用部材１０の左右のＬ字状支持部材１１、１２の縦方向支持部１１ｂ、１２ｂに夫々上部の階段用部材２０の左右のＬ字状支持部材２１、２２の横方向支持部２１ａ、２２ａを重ね合わせた上、支持部１１ｂと２１ａおよび１２ｂと２１ａとをねじ止めして固定することにより両者を一体化する。同様に上部の階段用部材２０に３段目の階段用部材を重ねて、同様の固定手段により固定する。このようにして所定の高さの階段が形成される。
【００２２】
この図１に示す実施例１の階段用部材を重ねた状態を上方より見た概略図（平面図）が図５である。
【００２３】
この図１乃至図５にて示す構成の本考案の実施例１の組み立て式階段において、第１段目は、図６に示す構成の階段用部材を用いることが望ましい。
【００２４】
即ち、図６に示す階段用部材５０は、前記構成の階段用部材の左右のＬ字状支持部材５１、５２がその上下方向に伸びる縦方向支持部（脚部）５１ｃ，５１ｄ，５２ｃ，５２ｄの下端面に夫々プレート５５、５６を、熔接等の手段にて図示するように固定した構成である。このプレート５５、５６は、階段用部材５０を床等に固定するために利用するもので、複数のねじ孔５５ａ，５６ａが設けられている。
【００２５】
このプレート５５、５６を有する図６に示す構成の階段用部材５０をそのプレート５５、５６の下面が床等に密着するように設置し、ねじ孔５５ａ，５６ａを利用してねじ止めすることにより床等に設置、固定する。この床等に固定した図６に示す階段用部材の上に、前述の通りの固定手段にて図１に示す構成の２段目、３段目、・・・の階段用部材を順次ねじ止め固定することにより、所定の高さの組み立て式階段を作成し得る。
【００２６】
このようにして、図５に示す直線状に昇り降りする組み立て式階段を床に固定した状態にて作成し得る。
【００２７】
尚、この組み立てられた階段の両側面には手摺等を取り付け又装飾をほどこすことにより、実際に使用する階段になる。
【００２８】
以上述べた実施例１の組み立て式階段は、直線状に昇り降りする階段であるが、螺旋状階段等カーブする組み立て式階段の実施例２を次に述べる。
【実施例２】
【００２９】
本考案の組み立て式階段の実施例２は、階段用部材が図７に示す通りで、右回りに旋回する階段である。
【００３０】
この実施例２の組み立て式階段は、図７に示すような構成である。
【００３１】
この実施例２は、図７に示すように、階段用部材３０が段板３５の面形状がその奥の横方向の辺３５ａが傾斜した形状のものである。つまり、図７に示すように段板３５の側面のうち３５ｃが３５ｄより長くなっている。この図のように一辺が傾斜したものであることにより、左右の段板支持部材３１、３２がその横方向の支持部３１ａと３２ａの長さが異なり、又段板受け３３も段板表面の形状に合わせた形状（固定するような形状）になっている。この実施例２は図１に示す実施例１の階段用部材１０と形状は異なっているが、構造自体は実質上同じである。
【００３２】
この実施例２の図７に示す階段用部材を、図５と同様の手段にて重ね固定し、多数の階段用部材を重ね合わせることにより、右回りの螺旋階段になる。即ち図８に示す概略図（平面図）のような螺旋階段になる。この図８において、各階段用部材３０は同一の図７に示す構造のもので、平面の概略の形状が１辺３０ａが傾斜したものである。そして、図８において、３０Ａが最下段の階段用部材であって、３０Ｂ、３０Ｃ、・・・のように、１段づつ右回りに昇る構造の階段である。
【００３３】
したがって、図８の階段は右回りの螺旋階段である。
【実施例３】
【００３４】
本考案の組み立て式階段の実施例３は、図１０に示すような左回りの螺旋階段に関するもので、階段用部材が図９に記載するような構成である。
【００３５】
この実施例３の階段用部材４０は、Ｌ字状の段板支持部材４１、４２と段板受け４３とよりなり、段板受け４３にて段板４５を保持する構造で、図７の段板支持部材３０とその傾斜方向が逆方向である点を除いて実質上同一の構成である。つまり、段板支持部材の横方向支持部の長さが左側の段板支持部４１ａよりも右側の段板支持部４２ａが長く、段板受け４３の形状が左側より右側が長い点で又段板４５が左側４５ｃよりも右側４５ｄが長い点で図７の階段用部材と異なるが他の構造は図７と実質上同じである。
【００３６】
この図９の階段用部材４０を図４をもとに述べたと同様の手段にて重ねることにより、左回りの螺旋階段となる。
【００３７】
図１０は、図８と同様に、図９の実施例３の階段用部材４０を上方より見た概略図で最下段４０Ａより順に昇るにつれて、４０Ｂ、４０Ｃ、・・・のように左回りに移動する構造で、左回りの螺旋階段である。
【００３８】
以上述べたように、本考案によれば、実施例１、２、３のように直線状の昇る階段、右回りの螺旋階段、左回りの螺旋階段を製造し得る。
【００３９】
図１１は、本考案の各種形状の階段用部材を組み合わせることにより製造し得る階段の一例を上方より見た概略図である。
【００４０】
この図１１は実施例１の階段用部材１０と実施例２の階段用部材３１とを組み合わせたもので、下の２段（１０Ａ、１０Ｂ）が実施例１の階段用部材、３段目（３１Ａ、３１Ｂ、・・・）からは実施例２の階段用部材である。これにより直線上に昇る階段が途中から右回りの螺旋階段になる。
【００４１】
このように、各実施例を適宜組み合わせることにより、各種形状の階段になし得る。
【００４２】
以上述べた実施例２、３の階段用部材も、実施例１と同様に最も下の段を図６に示すようなプレートを設けることにより、床等への固定が可能になる。
【００４３】
実施例２においてプレートを備えた例として、図１２に示すような構成がある。つまり階段用部材６０の階段支持部材６１、６２の縦方向の支持部を上下の支持部６１ｂ，６１ｃ（脚部６１ｃ）とし又先端に他の支持部（脚部）６１ｄ，６２ｄを設け、その下端面にねじ孔６５ａを形成したプレート６５、６６を接合した構成とすればよい。
【００４４】
尚、図面には現れていないが、右側の支持部材６２にも支持部６１ｃ，６１ｄに相当する支持部（脚部）が設けられており、プレート６６にはねじ孔が形成されている。
【００４５】
この図１２に示す階段用部材を最下段に用い、その上に実施例２に示す階段用部材を順次重ね固定することにより螺旋状の階段を形成し得る。この螺旋状の階段はその最下段にプレート６５、６６を有することにより、そのねじ孔６５ａ，６６ａを利用して床面にねじ止め固定することができる。したがって、床に固定された螺旋階段を構成し得る。
【００４６】
同様に、図１３は実施例３においてプレート７５、７６を設けた例である。    この図１３に示す階段用部材７０は、実施例３と同様の構成で、段板受け７６を支持する支持部材７１、７２を横方向支持部７１ａ，７２ａと縦方向支持部７１ｂ，７１ｃ（脚部７１ｃ），７２ｂ，７２ｃ（脚部７２ｃ）に加え先端の支持部７１ｄ，７２ｄ（脚部）を設けた形状とし、７１ｃ，７１ｄおよび７２ｃ，７２ｄの先端面に夫々ねじ孔７５ａ，７６ａを有するプレート７５、７６を接合したものである。
【００４７】
これにより、図１３に示す階段用部材７０を最下段として実施例３の階段用部材を重ね固定することにより、プレート７５、７６を床にねじ止め固定した螺旋階段とすることができる。
【００４８】
以上述べたいずれの実施例においても、そのＬ字状の支持部材の横方向の支持部に手摺等を取り付けることが可能である。
【００４９】
例えば図１（図４）に示す実施例１においては、支持部材１１、１２、２１、２２の支持部１１ａ，１２ａ，２１ａ，２２ａ、図７に示す実施例７の支持部材３１、３２の支持部３１ａ，３２ａ、図９に示す実施例３の支持部材４１、４２の支持部４１ａ，４２ａに手摺を固定することにより簡単に取り付け得る。
【産業上の利用可能性】
【００５０】
本考案は、階段用部材を多数重ね合わせて夫々固定することにより階段を簡単に作成し得るもので、段板の異なる階段用部材を重ねることにより、直線状に昇り降りする階段、右回りの螺旋階段、左回りの螺旋階段のいずれも簡単に製造し得る。又各種形状の階段用部材の組み合わせにより様々な階段を簡単に作り得る。
【符号の説明】
【００５１】
１０      階段用部材
１１、１２    Ｌ字状支持部材
１３      階段受け
１５      段板
【図１】
0003165176.tif 000003
【図２】
0003165176.tif 000004
【図３】
0003165176.tif 000005
【図４】
0003165176.tif 000006
【図５】
0003165176.tif 000007
【図６】
0003165176.tif 000008
【図７】
0003165176.tif 000009
【図８】
0003165176.tif 000010
【図９】
0003165176.tif 000011
【図１０】
0003165176.tif 000012
【図１１】
0003165176.tif 000013
【図１２】
0003165176.tif 000014
【図１３】
0003165176.tif 000015